(57)【要約】【課題】  表面に雨粒等の水滴が付着しても、看板等を適切に照明して、視認性の確保および外観を向上できる照明器具を提供する。【解決手段】  基板１２に実装されたＬＥＤチップ１１から照射された光は、ＬＥＤチップ１１の前方に設けられているレンズ１３の照射方向前面の凹面１３１により後方へ全反射して、看板１７等を照明する。このとき、レンズ１３の凹面１３１を覆うカバー部材１４Ａを設けたので、雨粒等の水滴１６がレンズ１３の凹面１３１に付着して光が漏れて乱反射するのを防止できる。これにより、看板１７等を適切に照明して、視認性の確保および外観を向上できる。【選択図】  図１
2012113829.tif 000002
【特許請求の範囲】
【請求項１】
ＬＥＤチップと、
前記ＬＥＤチップを実装する基板と、
前記ＬＥＤチップの前方に設けられ、照射方向前面が凹面であるレンズと、を有し、
前記レンズの凹面を覆うカバー部材を設けた照明器具。
【請求項２】
請求項１に記載の照明器具において、
前記カバー部材がレンズ機能を有する照明器具。
【請求項３】
請求項１に記載の照明器具において、
前記カバー部材の裏面が、凹凸加工されている照明器具。
【発明の詳細な説明】
【技術分野】
【０００１】
本発明は、ＬＥＤを光源に用い、屋外の看板照明等に用いられる照明器具に関するものである。
【背景技術】
【０００２】
従来より、屋外の看板照明等に用いられ、ＬＥＤを光源として用いている照明器具が知られている（例えば、特許文献１参照）。
図８に示すように、特許文献１に記載の照明器具１００では、基板１０１の表面に多数のＬＥＤ１０２を突設し、このＬＥＤ１０２の照射方向前方を透光性のカバー１０３で覆っている。基板１０１の照射方向後方には、多数の板状の放熱板１０４が設けられている。基板１０１と放熱板１０４との間には、放熱性及び防水性を備えた樹脂からなる放熱層１０５を設けて、基板１０１と放熱板１０４とを固着している。また、カバー１０３の周壁１０３Ａと基板１０１との間を密閉状態で接続している。
さらに、ＬＥＤ１０２の装着及び配線接続状態において、基板１０１の表面及び裏面に、耐熱性防水樹脂をコーティングして防水膜１０６を形成している。
これにより、放熱性及び防水性の高い照明器具を提供する。
【先行技術文献】
【特許文献】
【０００３】
【特許文献１】特開２０１０−２１１５６号公報（第４図）
【発明の概要】
【発明が解決しようとする課題】
【０００４】
ところで、図９に示すように、ＬＥＤ１１１を光源とする照明器具１１０を看板１１２の照明に用いる場合に、ＬＥＤ１１１から発せられた光を前方ではなく周囲および後方へ照射（照射光Ｌ１）したい場合がある。このような場合には、ＬＥＤの前方に設けられているカバーとして前面が凹面状に形成されたアクリル製のレンズ１１３を用い、ＬＥＤ１１１から発せられた光を凹面１１４で全反射させて周囲および後方へ光を照射させて看板１１２等の表面を照明する場合がある。
【０００５】
しかしながら、凹面状に形成したレンズ１１３を用いる場合に、前面の凹面１１４に雨粒等の水滴１１５が付着すると、水とアクリル樹脂の屈折率が近いため、あたかも水滴１１５の部分はアクリルが膨らんだような状態となる。このため、凹面１１４で全反射せずに、水滴１１５を介して水平方向や斜め前方に屈折して照射（照射光Ｌ２）され、照明すべき看板１１２等の表面が暗くなるという問題がある。
また、水滴１１５からの反射は、方向が定まらない乱反射となるので、看板１１２等の表面の明るさが不均一になり、看板１１２を見たときに光ムラとなるため、外観が低下するとともに視認性が低下するという問題がある。
【０００６】
本発明は、従来の問題を解決するためになされたもので、表面に雨粒等の水滴が付着しても、看板等を適切に照明して、視認性の確保および外観を向上できる照明器具を提供することを目的とする。
【課題を解決するための手段】
【０００７】
本発明の照明器具は、ＬＥＤチップと、前記ＬＥＤチップを実装する基板と、前記ＬＥＤチップの前方に設けられ、照射方向前面が凹面であるレンズと、を有し、前記レンズの凹面を覆うカバー部材を設けたものである。
【０００８】
また、本発明の照明器具は、前記カバー部材がレンズ機能を有するものである。
【０００９】
さらに、本発明の照明器具は、前記カバー部材の裏面が、凹凸加工されているものである。
【発明の効果】
【００１０】
本発明は、レンズの凹面を覆うカバー部材を設けたので、雨粒等の水滴がレンズの凹面に付着して光が漏れて乱反射するのを防止できる。これにより、看板等を適切に照明して、視認性の確保および外観を向上できるという効果を有する照明器具を提供できる。
【図面の簡単な説明】
【００１１】
【図１】本発明に係る第１実施形態の照明器具の側面図および断面図
【図２】本発明に係る第１実施形態の照明器具の取付状態および光の進路を示す説明図
【図３】（Ａ）は本発明に係る第１実施形態の照明器具で形成した文字の発光状態を示す説明図であり、（Ｂ）はカバー部材を設けない従来の照明器具で形成した文字の発光状態を示す説明図
【図４】本発明に係る第２実施形態の照明器具の側面図および断面図
【図５】本発明に係る第３実施形態の照明器具の側面図および断面図
【図６】本発明に係る第４実施形態の照明器具の側面図および断面図
【図７】本発明に係る第５実施形態の照明器具の側面図および断面図
【図８】従来のＬＥＤを用いた看板照明の断面図
【図９】従来の看板の照明の問題点を示す説明図
【発明を実施するための形態】
【００１２】
（第１実施形態）
以下、本発明に係る第１実施形態の照明器具について、図面を用いて説明する。
図１に示すように、本発明に係る第１実施形態の照明器具１０Ａは、光源であるＬＥＤチップ１１と、このＬＥＤチップ１１を実装する基板１２と、ＬＥＤチップ１１の前方に設けられて照射方向前面が凹面１３１であるレンズ１３と、を有する。レンズ１３はアクリル樹脂製であり、凹面１３１は、例えば逆円錐形状である。
【００１３】
そして、レンズ１３の照射方向前側に、レンズ１３の凹面１３１を覆うカバー部材１４Ａを設けた。カバー部材１４Ａは、平板状の部材であり、レンズ１３の先端に密閉状態で接合する。このとき、レンズ１３とカバー部材１４Ａとの間にパッキンを介在させて，螺合や嵌合にすることも可能である。
従って、レンズ１３とカバー部材１４Ａとの間には、水が入ることができない密閉空間１５が形成され、凹面１３１に水滴１６（図２参照）が付着することはない。
【００１４】
なお、図２に示すように、照明器具１０Ａは、取付ばね１９を有する取付台１８に取り付けられ、例えば看板１７に設けられている取付孔１７１に挿嵌して、取付ばね１９により看板１７に取り付けることができる。
【００１５】
従って、基板１２に実装されたＬＥＤチップ１１から照射された光Ｌ１は、ＬＥＤチップ１１の前方に設けられているレンズ１３の凹面１３１により後方へ全反射して、看板１７の表面を照明する。
また、ＬＥＤチップ１１から発せられた直射光Ｌ２は、レンズ１３およびカバー部材１４Ａを透過して照射される。
【００１６】
図３（Ａ）には、前述した照明器具１０Ａを多数配置して形成した文字の発光状態が示してある。また、図３（Ｂ）にはカバー部材１４Ａを設けずに、レンズ１３の凹面１３１に水滴１６が付着した場合が示してある。
図３（Ａ）に示すように、照明器具１０Ａで文字を形成した場合には、レンズ１３の凹面１３１で全反射して看板１７を照らすので、文字全体が明るく照らされて、個々の照明器具１０Ａの区別は明確ではない。
一方、前述した従来の照明器具１１０で文字を形成した場合には、レンズ１１３の凹面１１４に水滴１１５が付着するので、光が散乱して看板１１２の表面を照らさない。このため、文字を形成する照明器具１１０間の看板１１２表面が照らされず、照明器具１１０間が暗くなる。
【００１７】
以上、説明した本発明にかかる第１実施形態の照明器具１０Ａは、基板１２に実装されたＬＥＤチップ１１から照射された光は、ＬＥＤチップ１１の前方に設けられているレンズ１３の照射方向前面の凹面１３１により後方へ全反射して、看板１７等を照明する。このとき、レンズ１３の凹面１３１を覆うカバー部材１４Ａを設けたので、雨粒等の水滴１６がレンズ１３の凹面１３１に付着することにより光が漏れて乱反射するのを防止できる。これにより、看板１７の表面等を適切に照明して、視認性の確保および外観を向上できる。
【００１８】
（第２実施形態）
次に、本発明に係る第２実施形態の照明器具１０Ｂについて説明する。なお、前述した第１実施形態にかかる照明器具１０Ａと共通する部位には同じ符号を付して、重複する説明を省略することとする。
図４に示すように、本発明に係る第２実施形態の照明器具１０Ｂでは、カバー部材１４Ｂが一様な厚さでドーム状に形成されている。ドーム状としては、例えば部分球面状とすることができるが、その他の形状でも可能である。
【００１９】
以上、説明した本発明にかかる第２実施形態の照明器具１０Ｂによれば、前述した第１実施形態の照明器具１０Ａと全く同様の効果を得ることができる。
【００２０】
（第３実施形態）
次に、本発明に係る第３実施形態の照明器具１０Ｃについて説明する。なお、前述した第１実施形態にかかる照明器具１０Ａおよび第２実施形態にかかる照明器具１０Ｂと共通する部位には同じ符号を付して、重複する説明を省略することとする。
図５に示すように、本発明に係る第３実施形態の照明器具１０Ｃでは、カバー部材１４Ｃがレンズ部材となっている。例えば、下面が平面状で、上方に曲面状に突出したものが採用できるが、この形状に限るものではない。
【００２１】
以上、説明した本発明にかかる第３実施形態の照明器具１０Ｃによれば、前述した第１実施形態の照明器具１０Ａと全く同様の効果を得ることができる。
さらに、カバー部材１４Ｃをレンズ部材としたことにより、レンズ１３を透過してきた直射光をさらに集光させたり、拡散させることができる。
【００２２】
（第４実施形態）
次に、本発明に係る第４実施形態の照明器具１０Ｄについて説明する。なお、前述した第１実施形態にかかる照明器具１０Ａ乃至第３実施形態にかかる照明器具１０Ｃと共通する部位には同じ符号を付して、重複する説明を省略することとする。
図６に示すように、本発明に係る第４実施形態の照明器具１０Ｄでは、カバー部材１４Ｄの裏面１４１を凹凸加工してある。ここで、凹凸加工としては、マット加工（梨地加工）やプリズム加工等が採用できる。
【００２３】
以上、説明した本発明にかかる第４実施形態の照明器具１０Ｄによれば、前述した第１実施形態の照明器具１０Ａと全く同様の効果を得ることができる。
さらに、カバー部材１４Ｄの裏面１４１を凹凸加工したため、カバー部材１４Ｄを透過する直射光を拡散させることができる。
【００２４】
（第５実施形態）
次に、本発明に係る第５実施形態の照明器具１０Ｅについて説明する。なお、前述した第１実施形態にかかる照明器具１０Ａ乃至第４実施形態にかかる照明器具１０Ｄと共通する部位には同じ符号を付して、重複する説明を省略することとする。
図７に示すように、本発明に係る第５実施形態の照明器具１０Ｅでは、カバー部材１４Ｅに着色（透光性）を施したものである。カバー部材１４Ｅはレンズ１３とは別部材なので、容易に材質や色を変えることができる。
【００２５】
以上、説明した本発明にかかる第５実施形態の照明器具１０Ｅによれば、前述した第１実施形態の照明器具１０Ａと全く同様の効果を得ることができる。
さらに、カバー部材１４Ｅを例えば赤色の透光性部材で形成することにより、照射光Ｌ１を赤色にし、照射光Ｌ２を白色にすることができる。これにより、デザインのバリエーションを拡げることができる。
【００２６】
なお、本発明の照明器具は、前述した各実施形態に限定されるものでなく、適宜な変形，改良等が可能である。
【符号の説明】
【００２７】
１０Ａ〜１０Ｅ  照明器具
１１  ＬＥＤチップ
１２  基板
１３  レンズ
１３１  凹面
１４Ａ〜１４Ｅ  カバー部材
１４１  裏面
【図１】
2012113829.tif 000003
【図２】
2012113829.tif 000004
【図３】
2012113829.tif 000005
【図４】
2012113829.tif 000006
【図５】
2012113829.tif 000007
【図６】
2012113829.tif 000008
【図７】
2012113829.tif 000009
【図８】
2012113829.tif 000010
【図９】
2012113829.tif 000011